(57)【要約】      （修正有）【課題】副食を冷却して質劣化を抑制できるのは無論のこと、飲料も提供することのできる弁当箱の提供。【解決手段】弁当箱１は、副食Ｓを出し入れするための副食出し入れ口５が上面に開口している副食収容箱体４と、副食収容箱体４の副食出し入れ口５を開閉自在に封止する蓋体６を有するものにおいて、蓋体６に中空状の飲料貯留部１８を設け、飲料貯留部１８の飲料出し入れ口７を開閉自在に封止する栓体８を備えている。蓋体６は、飲料Ｄの凍結時に変形可能な軟質のポリエチレン樹脂で形成されている。【選択図】図３
0003117994.tif 000002
【実用新案登録請求の範囲】
【請求項１】
副食を出し入れするための副食出し入れ口が上面に開口している副食収容箱体と、副食収容箱体の副食出し入れ口を開閉自在に封止する蓋体を有する弁当箱において、蓋体に中空状の飲料貯留部を設け、該飲料貯留部の飲料出し入れ口を開閉自在に封止する栓体を備えていることを特徴とする弁当箱。
【請求項２】
蓋体が、飲料の凍結時に変形可能な合成樹脂で形成されている請求項１に記載の弁当箱。
【考案の詳細な説明】
【技術分野】
【０００１】
本考案は、収容した副食を冷却する弁当箱に関するものである。
【背景技術】
【０００２】
我が国では中学、高校生の大半が弁当持参で通学している。また、弁当持参で通勤している社会人も多い。このように持参される弁当箱は多種類のものが出回っている。代表的な弁当箱としては、ご飯を収容する主食収容箱部に、オカズを収容する副食収容箱部を段積みして、主食収容箱部の上面開口を封止し、更に副食収容箱部の上面開口を蓋体で封止するようにしたものが知られている。
ところで、朝食時に作られた弁当はお昼まで机中や鞄中に置いておかれることが多い。その場合、職場では適切な空調があるため弁当のオカズが傷むことは少ないが、空調設備を持たない学校では夏場のお昼まで暑さに晒されることからオカズが悪くなることが懸念される。現実には、蓋を開けたときに腐敗臭を感じたことのある人がほとんどであろう。
【０００３】
そこで、副食収容箱部を封止する蓋体の天面部に、蓄冷剤入り袋を収容する蓄冷剤収容部を設けた食器が、例えば下記の特許文献１に記載されている。この食器では、蓋体の蓄冷剤収容部内と副食収容箱部内を連通する貫通孔を通して、蓄冷剤入り袋からの冷気が副食収容箱部内に降下しオカズを低温に保持するようになっている。
【０００４】
【特許文献１】実開平７−４４０６８号公報
【考案の開示】
【考案が解決しようとする課題】
【０００５】
上記文献開示の食器によれば、蓄冷剤入り袋からの冷気によりオカズの質劣化を抑制することができる。一方で、食事の際にはたとえ少量であってもお茶などの飲み物が欲しくなるものである。しかしながら、食事時に飲料を飲むためには水筒やペットボトルを別途持参しなければならず持ち物が嵩張ることとなる。
【０００６】
本考案は、上記した従来の問題点に鑑みてなされたものであって、副食を冷却して質劣化を抑制できるのは無論のこと、飲料も提供することのできる弁当箱の提供を目的とする。
【課題を解決するための手段】
【０００７】
上記目的を達成するために、本考案に係る弁当箱は、副食を出し入れするための副食出し入れ口が上面に開口している副食収容箱体と、副食収容箱体の副食出し入れ口を開閉自在に封止する蓋体を有する弁当箱において、蓋体に中空状の飲料貯留部を設け、該飲料貯留部の飲料出し入れ口を開閉自在に封止する栓体を備えているものである。
【０００８】
また、前記構成において、蓋体が、飲料の凍結時に変形可能な合成樹脂で形成されているものである。
【考案の効果】
【０００９】
本考案に係る弁当箱によれば、蓋体の飲料貯留部に飲料を貯留することができ、飲料を貯留した蓋体を冷凍庫などに収容して飲料を凍結させることができる。このように飲料が凍結した蓋体が副食収容箱体の上面に被せられるので、凍結飲料の冷気が蓋体から副食収容箱体内に降下し副食を冷却してその質劣化を抑制する。加えて、冷気を放出して融けた飲料は食事時に飲むことができ、水筒などを別途携帯する必要がなくなる。すなわち、副食の冷却と飲料の提供をひとつの弁当箱で行なえるのである。
【００１０】
また、飲料の凍結時に変形可能な合成樹脂で蓋体が形成されている場合は、飲料を貯留した蓋体を冷凍庫などに収容したとき、凍結時に飲料が膨張しても、蓋体が変形して歪を吸収するので、飲料凍結膨張による蓋体の破壊を防ぐことができる。
【考案を実施するための最良の形態】
【００１１】
本考案の最良の実施形態を図面に基づいて説明する。尚、以下に述べる実施形態は本考案を具体化した一例に過ぎず、本考案の技術的範囲を限定するものでない。ここに、図１は本考案の一実施形態に係る弁当箱の分解斜視図、図２は前記弁当箱の外観図、図３は図２におけるＡ−Ａ線矢視断面図、図４は前記弁当箱の蓋体の平面図である。
各図において、この実施形態に係る弁当箱１は、ご飯Ｍなどを出し入れするための主食出し入れ口３が上面に開口した主食収容箱体２と、副食Ｓを出し入れするための副食出し入れ口５が上面に開口した副食収容箱体４と、副食収容箱体４の副食出し入れ口５を開閉自在に封止する蓋体６と、副食収容箱部４および主食収容箱部２を被う外蓋９と、主食収容箱部２およびこれを被った外蓋９に掛け回されて緊縛するゴム帯製のバンド１０とを有している。
【００１２】
この弁当箱１は、バンド１０以外の部品が汎用合成樹脂を原料として形成されている。例えば、主食収容箱体２がＡＢＳ樹脂またはポリプロピレン樹脂を、副食収容箱体４がＡＢＳ樹脂またはポリプロピレン樹脂を、蓋体６がポリエチレン樹脂を、栓体８がポリプロピレン樹脂を、外蓋９がＡＢＳ樹脂またはポリプロピレン樹脂をそれぞれ原料として射出成型などにより形成されている。但し、本考案に係る弁当箱の各部品の材質が前記した合成樹脂に限定されないことは言うまでもない。
【００１３】
蓋体６は内部に中空の飲料貯留部１８を備えておりポリエチレン樹脂を原料としてブロー成型により形成される。蓋体６を構成する成型後のポリエチレン樹脂は比較的軟質であって飲料Ｄの凍結時に変形できるように樹脂設計がなされている。かかる機能を有する合成樹脂としては、前記のポリエチレン樹脂以外に例えば低重合度のポリプロピレン樹脂などが挙げられる。そして、蓋体６の上面には、外周に雄ネジ部を有する飲料出し入れ口７が飲料貯留部１８と連通して設けられている。この飲料出し入れ口７は、雌ネジ部を有する栓体８が螺合して水密状に封止される。飲料貯留部１８に貯留される飲料Ｄの容量は特に限定されないが、この例ではコップ１杯分（約１８０ｍＬ）である。飲料貯留部１８に貯留される飲料Ｄとしては、お茶、水、ジュース、コーヒーなど水を主体とするものが挙げられる。
【００１４】
副食収容箱体４の底部１３の形状、寸法は、主食収容箱体２の開口縁１２に着脱自在に嵌着されて主食出し入れ口３を封止できるように設定されている。副食収容箱体４の外周下部には、水平方向外向きに突出した周鍔部２６が全周にわたって形成されている。この周鍔部２６は副食収容箱体４が主食収容箱体２上に段積みされたときに主食収容箱体２の開口縁１２に当接して支持されるようになっている。そして、蓋体６の底部１６の外周縁には、上向きに凹入した嵌合溝部１７が全周にわたって形成されている。この嵌合溝部１７の平面形状、深さは副食収容箱体４の開口縁１５に着脱自在に嵌着されて副食出し入れ口５を封止できるように設定されている。蓋体６は軟質合成樹脂製であり副食収容箱体４の開口縁１５と密着するため、嵌合溝部１７内にシールリングを装着しなくてよい。
【００１５】
上記した構成の弁当箱１を使用する態様を説明する。まず、蓋体６の飲料出し入れ口７から冷茶などの飲料Ｄを飲料貯留部１８内に貯留したのち、栓体８で飲料出し入れ口７を封止する。飲料Ｄ入りの蓋体６を冷凍室に保存し飲料Ｄを予め凍結させておく。この場合、蓋体６は軟質であるため、蓋体６は飲料Ｄの凍結時の膨張に応じて変形し破壊されたりしない。次に、副食収容箱体４の収容部１４に副食Ｓを善そい、主食収容箱体２の収容部１１にご飯Ｍを善そったのち、しばらく冷やしておく。その後、主食収容箱体２の開口縁１２上に副食収容体４を段積みして主食出し入れ口３を封止する。次に、蓋体６を冷凍庫から取出し嵌合溝部１７を副食収容箱体４の開口縁１５に嵌着させて副食出し入れ口５を封止する。更に、外蓋９を被せて蓋体６、副食収容箱体４、および主食収容箱体２を被いバンド１０を全体に掛け回すと、弁当が仕上がる。
【００１６】
かかる弁当箱１において、凍った飲料Ｄの冷気は蓋体６の底部１６から副食収容箱体４に降下して収容部１４内の副食Ｓを冷却する。これにより、副食Ｓの質劣化が抑制される。飲料Ｄの内容量は１８０ｍＬ位であるので、凍った飲料Ｄが解け切るまでに３時間半程度かかり、昼食時には飲料Ｄが冷たいままである。従って、副食Ｓを適度に冷却したうえで飲み心地のよい飲料Ｄが提供される。無論、水筒などを別途携帯することなく適量の飲料Ｄを口にすることができる。
【００１７】
尚、本考案は上記した弁当箱１以外に、図５に示すような弁当箱１Ａにも適用される。この弁当箱１Ａは、主食収容箱体２Ａ、副食収容箱体４Ａ、および外蓋９Ａを上下段積みするように構成されている。主食収容箱体２Ａおよび副食収容箱体４Ａの基本構成は、既述した弁当箱１の主食収容箱体２および副食収容箱体４とほぼ同じである。すなわち、副食収容箱体４Ａの底部１３Ａの形状、寸法は、主食収容箱体２Ａの開口縁１２Ａに着脱自在に嵌着されて主食出し入れ口３を封止するように設定されている。そして、主食収容箱体２Ａの左右側面において、開口縁１２Ａの先端は下向きに湾曲して係合溝２０を形成している。
【００１８】
外蓋９Ａ（本考案の蓋体の別例）はポリプロピレン樹脂などで形成されて剛性が高く、凍結時の飲料膨張程度では破壊されない強度を備えている。この外蓋９Ａは内部に飲料貯留部１８が形成されている。外蓋９Ａの上面には、外周に雄ネジ部を有する飲料出し入れ口７が飲料貯留部１８と連通して設けられている。飲料出し入れ口７はシールリング１９が装填された栓体８の螺合により水密状に封止される。そして、外蓋９Ａの底部１６Ａの外周縁には、上向きに凹入した嵌合溝部１７Ａが全周にわたって形成されている。この嵌合溝部１７Ａの平面形状、深さは副食収容箱体４Ａの開口縁１５Ａに着脱自在に嵌着されるように設定されている。嵌合溝部１７Ａの全周にわたってシリコンゴム製のシールリング２１が内装される。外蓋９Ａの底部１６Ａの左右両側には一対の枢支部２２がそれぞれ突設されている。これらの枢支部２２に横設された軸２３を介して留め腕２４が左右揺動自在にそれぞれ枢支されている。各留め腕２４の先端部には、内向きの係合突起２５がそれぞれ設けられている。
【００１９】
この弁当箱１Ａでは、主食収容箱体２Ａの開口縁１２Ａ上に副食収容体４Ａが段積みされて主食出し入れ口３が封止される。そして、冷凍庫から取出した外蓋９Ａの嵌合溝部１７Ａが副食収容箱体４Ａの開口縁１５Ａに嵌着されて副食出し入れ口５が封止される。更に、左右の留め腕２４，２４の係合突起２５，２５が主食収容箱体２Ａの係合溝２０，２０にそれぞれ係止されることにより、弁当が仕上がる。かかる弁当箱１Ａにおいても、凍った飲料Ｄの冷気が外蓋９Ａの底部１６Ａから副食収容箱体４Ａに降下して副食収容箱体４Ａの収容部１４内の副食を冷却する。これにより、副食の質劣化が抑制され、食事の際には適量の飲料を口にすることができる。
【図面の簡単な説明】
【００２０】
【図１】本考案の一実施形態に係る弁当箱の分解斜視図である。
【図２】前記弁当箱の外観図である。
【図３】図２におけるＡ−Ａ線矢視断面図である。
【図４】前記弁当箱の蓋体の平面図である。
【図５】本考案の別の実施形態に係る弁当箱の縦断面図である。
【符号の説明】
【００２１】
１，１Ａ  弁当箱
４    副食収容箱体
５    副食出し入れ口
６    蓋体
７    飲料出し入れ口
８    栓体
９Ａ  外蓋（蓋体）
１８  飲料貯留部
Ｄ    飲料
Ｓ    副食
【図１】
0003117994.tif 000003
【図２】
0003117994.tif 000004
【図３】
0003117994.tif 000005
【図４】
0003117994.tif 000006
【図５】
0003117994.tif 000007